(57)【要約】      （修正有）【課題】寝具への着脱が容易で耐久性に優れ、寝具が平坦でも背上げ状態でもずれやしわが生じ難い、安価なシーツを提供する。【解決手段】シーツ１は、長方形の寝具１００の上面を覆う織物生地からなる織物部２と、寝具の端部下面を覆う伸縮部材からなる２つの伸縮部４、５とを備え、２つの伸縮部は、略コの字形状を有し、コの字背部が織物部の両短辺端縁にそれぞれ縫着され、織物部に縫着されている一方が寝具の上面の一部を覆う。織物部は、両端部を除く長辺側縁の両側に短冊状の織物側縁部３が設けられ、２つの伸縮部４、５は、コの字上辺及び下辺がそれぞれ織物部の側縁端縁に逢着され、コの字先端がそれぞれ織物側縁部３の端縁に逢着されることにより、シーツの下面中央部に設けられている開口７から寝具を出し入れ自在とし、寝具の下面を円環状に覆う円環部６を備える。【選択図】図２
0003226582.tif 000002
【実用新案登録請求の範囲】
【請求項１】
長方形の寝具の上面を覆う織物生地からなる織物部と、
前記寝具の端部下面を覆う伸縮部材からなる２つの伸縮部と、を備え、
前記２つの伸縮部は、
略コの字形状を有し、コの字背部が前記織物部の両短辺端縁にそれぞれ縫着され、
前記織物部に縫着されている一方が前記寝具の上面の一部を覆うようになっていること、
を特徴とするシーツ。
【請求項２】
前記織物部は、
両端部を除く長辺側縁の両側に短冊状の織物側縁部が設けられ、
前記２つの伸縮部は、
コの字上辺及び下辺がそれぞれ前記織物部の側縁端縁に逢着され、
コの字先端がそれぞれ前記織物側縁部の端縁に逢着されることにより、
シーツの下面中央部に設けられている開口から前記寝具を出し入れ自在とし、前記寝具の下面を円環状に覆う円環部を備えること、
を特徴とする請求項１記載のシーツ。
【考案の詳細な説明】
【技術分野】
【０００１】
本考案は、マットレスや敷布団等の寝具を覆うシーツに関し、特に、ギャッジベッド又はギャッチベッドと呼ばれる介護ベッド用のマットレスに適したシーツに関する。
【背景技術】
【０００２】
従来から、自力で体を起こしたり、体の向きを変えたりすることが難しい被介護者を介助するベッドとして、背上げ機能、膝上げ機能等を有する介護ベッドが用いられている。
図５は、介護ベッドの背上げ及び膝上げをした状態を示す斜視図である。
介護ベッドを用いると、背上げを行うことによりベッドの上で上半身を起こすことができるので、座った姿勢での食事や車いすへの移乗がしやすくなる。膝上げを行うことにより背上げした状態で座っているときに上半身が下半身側へずり落ちることを防止できる。背上げや膝上げを行い体位を変えることにより血流をよくすることで褥瘡を予防する等の効果が期待できる。
【０００３】
しかしながら、背上げを行うと身体的接触部位に圧力（皮膚表面にかかる垂直な力）とずれ力（皮膚表面にかかる平行な力）が加わるため、褥瘡発生の要因になることが指摘されている（例えば、非特許文献１参照）。
また、従来の綿１００％のフラットシートやボックスシーツを介護ベッドに用いた場合、背上げを行うことにより、シーツはベッドに対し横方向に比べ、縦方向のずれが大きいこと、被介護者は頭部はずり上がり、肩から背部にかけて押し下げられるような圧迫を受けること、フラットシーツよりボックスシーツのほうがしわが少ないことが報告されている（例えば、非特許文献２参照）。
褥瘡は、衣服やシーツに生じたしわによる圧力の偏りによっても起こるため、ずれやしわが生じ難いシーツが求められている。
【０００４】
また、病院や診療所等では、一般に、入院患者が使用する寝具類を清潔に保ち、院内感染を防止する観点からシーツの交換が頻繁に行われ、病院スタッフは短時間で交換することが求められている。
病院や診療所等から回収された大量のシーツは、リネンサプライ事業者が回収して洗濯、脱水・乾燥後、仕上げラインとして投入機、ロールアイロナー、折畳機、自動結束機等を通し、再び病院や診療所等に納品される。
【０００５】
被介護者に心地良い使用感を与え、かつ被介護者の褥瘡発症を防止することのできるカバー型シーツが知られている（例えば、特許文献１参照）。
また、寝具類の出し入れが容易で短時間にシーツを交換することができ、かつリネンサプライ業者の仕上げにおいて、投入機のクリップでシーツの隅を吊るしてロールアイロナーに投入する際に滑り難い構造が求められており、これらの要望に応えるシーツが知られている（例えば、特許文献２参照）。
【０００６】
特許文献１に記載のシーツは、マットレスの上面、長手方向両端面、マットレスの横幅方向側面及び側面に続く下面縁部を覆う、３６０度方向に伸縮性を有する布材からなるシーツ本体と、非伸縮性を有する布材からなる直角三角形状の押え布４枚とからなり、２枚の押え布を一対として互いの斜辺を交差させるように配置し、それぞれの一側辺はシーツの長手方向端面の一方に逢着し、それぞれの他の側辺は、対向するシーツの横方向側面に続く下面縁部にそれぞれ縫着することにより、下面側にマットレス挿脱口を形成するとともに、シーツの長手方向両端面にそれぞれ逢着された二対の押え布同士を離間して配置することにより、横方向側面に続く下面縁部の一部を伸縮可能な構造としている。
そして、上記構成を採用することにより、マットレスの挿脱作業が容易かつ迅速にでき、使用中にしわが寄ったり捲れたりすることもなく、褥瘡の発症を防止することができるとしている。
【０００７】
特許文献２に記載のシーツは、マットレスの表地部及び周側部を覆う織物布地からなるシーツ主体と、シーツ主体の表地部の長手方向端縁及び周側部端縁と縫着されてシーツ主体の下面側に袋状に形成されている袋状ニット素材部とからなる扁平状のシーツを構成し、シーツ主体の周側部及び袋状ニット素材部に囲まれた開口部からマットレスを着脱し、袋状ニット素材部の周縁部は開口が広がるように円弧状に形成されている構造としている。
そして、上記構成を採用することにより、シーツ主体の縮みを袋状ニット素材部の伸縮で吸収し、シーツ主体のしわを袋状ニット素材部の弾力性で取り除く事ができ、シーツの着脱が容易であること、扁平状であるためリネンサプライ業者の仕上げ工程の作業性が改善される効果があるとしている。
【先行技術文献】
【特許文献】
【０００８】
【特許文献１】特開２０１３−０９４４７７号公報
【特許文献２】特開２００９−２７３５２０号公報
【非特許文献】
【０００９】
【非特許文献１】久保若菜，外２名，“頭側ギャッジアップ時にスライディングシートを活用することによる褥瘡予防の効果―仙骨部の圧力と身体の主観的不快感に着目して―”，京都女子大学生活福祉学科紀要，平成３１年２月，第１４号，ｐ．１５−２０
【非特許文献２】野呂志津子，外６名，“ボックスシーツと従来シーツとのずれ・しわの比較検証”，日本看護技術学会誌，２０１３年，Ｖｏｌ．１２，Ｎｏ．２，ｐ．５９−６３
【考案の概要】
【考案が解決しようとする課題】
【００１０】
しかし、特許文献１記載のシーツでは、シーツ本体を構成する３６０度方向に伸縮性を有する布材が伸縮性を有しない平織物と比べ非常に高価であるのでシーツ自体が高額となり、またリネンサプライ業者の投入機に吊るす際にクリップで滑りやすいため、病院や診療所等で頻繁にかつ大量に交換するシーツとしては適さない。
【００１１】
特許文献２に記載のシーツでは、シーツ主体の縮みを吸収したり、マットレスが平坦時にシーツ主体のしわを取り除いたりするにはシーツ主体の下面側に形成されている袋状ニット素材部の伸縮や弾力性で対応できるが、介護ベッドの背上げによってシーツ主体に生ずる縦方向のずれやそれによって生じるしわを取り除くには十分対応できない。
【００１２】
本考案は、このような課題を解決するためになされたものであり、マットレスや敷布団等の寝具への着脱や洗濯処理が容易で耐久性に優れ、マットレスが平坦であれ背上げ状態であれシーツにずれやしわが生じ難い、安価なシーツを提供することを目的とする。
【課題を解決するための手段】
【００１３】
請求項１に記載のシーツは、長方形の寝具の上面を覆う織物生地からなる織物部と、前記寝具の端部下面を覆う伸縮部材からなる２つの伸縮部とを備え、前記２つの伸縮部は、略コの字形状を有し、コの字背部が前記織物部の両短辺端縁にそれぞれ縫着され、前記織物部に縫着されている一方が前記寝具の上面の一部を覆うようになっている。
【００１４】
請求項２に記載のシーツは、前記織物部は、両端部を除く長辺側縁の両側に短冊状の織物側縁部が設けられ、前記２つの伸縮部は、コの字上辺及び下辺がそれぞれ前記織物部の側縁端縁に逢着され、コの字先端がそれぞれ前記織物側縁部の端縁に逢着されることにより、シーツの下面中央部に設けられている開口から前記寝具を出し入れ自在とし、前記寝具の下面を円環状に覆う円環部を備えることにより、寝具への着脱が容易で耐久性に優れ、マットレスが平坦時のシーツのしわを取り除くことが可能なシーツを提供することができる。
【考案の効果】
【００１５】
本考案によれば、長方形の寝具の上面を覆う織物生地からなる織物部と、前記寝具の端部下面を覆う伸縮部材からなる２つの伸縮部とを備え、前記２つの伸縮部は、略コの字形状を有し、コの字背部が前記織物部の両短辺端縁にそれぞれ縫着され、前記織物部に縫着されている一方が前記寝具の上面の一部を覆うようになっていることにより、マットレスが背上げ状態時のシーツに生ずる縦方向のずれやそれによって生じるしわを取り除くことが可能で、安価なシーツを提供することができる。その結果、使用者に心地良い使用感を与え、使用者の褥瘡発症を防止することができ、頻繁にかつ大量に交換する病院や診療所等での使用にも適するものとなっている。
【図面の簡単な説明】
【００１６】
【図１】本考案の実施例１に係るシーツの構成例を示す図である。
【図２】本考案の実施例１に係るシーツを寝具に装着した際の状態例を示す図である。
【図３】本考案の実施例１に係るシーツの縫製する前の状態を示す展開図例である。
【図４】本考案の実施例１に係るシーツの縫製手順を示す図である。
【図５】介護ベッドの背上げ及び膝上げをした状態を示す斜視図である。
【考案を実施するための形態】
【００１７】
以下、添付図面を参照しながら本考案を実施するための形態について詳細に説明する。図１乃至図４は、本考案の実施の形態を例示する図であり、これらの図において、同一の符号を付した部分は同一物を表し、基本的構成及び動作は同様であるものとする。
【実施例１】
【００１８】
図１（Ａ）及び（Ｂ）は、本考案の実施例１に係るシーツの構成例を示す図である。
図１（Ａ）は、シーツ１の上面を示す図である。シーツ１の上面は、ほぼ全面を織物部２で構成され、向かって右側の短辺端部に伸縮部４が織物部２に連接して縫着されている。
【００１９】
図１（Ｂ）は、シーツ１の下面を示す図である。シーツ１の下面には、図中、向かって右側の短辺端部に逆コの字形状の伸縮部４が設けられ、向かって左側の短辺端部にコの字形状の伸縮部５が設けられている。そして、伸縮部４及び伸縮部５のコの字形状の先端が、シーツ１の長辺側縁の両側に設けられている短冊状の織物側縁部３の両端にそれぞれ連接して縫着されることにより、シーツ１の下面周囲には円環状の円環部６が形成され、下面中央部には寝具を出し入れ自在とする開口７が形成されている。
このように、シーツ１単体では扁平状となつており、リネンサプライ業者の作業が容易な構成となっている。
【００２０】
図２（Ａ）乃至（Ｆ）は、本考案の実施例１に係るシーツを寝具に装着した際の状態例を示す図である。
図２（Ａ）は、シーツ１の上面を示す図である。シーツ１の上面は、寝具１００に装着する前と変わらない。
シーツ１の上面の一部を覆う伸縮部４がある側が使用者の頭側になるように装着する。
上面の一部を覆う伸縮部４は、寝具１００が背上げ状態時に織物部２に生ずる長辺方向のずれやそれによって生じるしわを取り除くことが可能な構造となっている。
【００２１】
図２（Ｂ）は、図２（Ａ）のＢ−Ｂ線に沿って切断した断面図である。
図２（Ｃ）は、図２（Ａ）のＣ−Ｃ線に沿って切断した断面図である。
図２（Ｄ）は、シーツ１の下面を示す図である。
図２（Ｅ）は、図２（Ａ）のＥ−Ｅ線に沿って切断した断面図である。
寝具１００の厚みは、シーツ１の下面周囲に形成されている円環部６で調節されるので、厚みの異なる寝具１００を挿入することが可能である。すなわち寝具１００の厚みにより、織物側縁部３の幅Ｗ１、伸縮部４及び伸縮部５の伸張で調節されるので、図２（Ｂ）、（Ｃ）及び（Ｅ）に示すように寝具１００の下面側に回り込む織物側縁部３、伸縮部４及び伸縮部５の布地幅が変わり、その結果、図２（Ｄ）に示すように開口７の大きさが変わることになる。
【００２２】
図２（Ｆ）は、図２（Ａ）のＦ−Ｆ線に沿って切断した断面図である。
寝具１００の厚みが変わっても、織物側縁部３の長さＬ１は変わらず、図２（Ｂ）と比較して伸縮部４及び伸縮部５の長さＬ３が確保されるため、寝具１００の四隅付近に伸縮部４及び伸縮部５の伸縮力が効果的に働く構造となっている。
したがって、円環部６が寝具１００の周側面を覆うので、織物部２を周囲から伸縮部４及び伸縮部５の伸縮力により引っ張り、織物部２の表面にしわが生じ難い構造となっている。
よって、ボックスシーツのように円環部６の端縁に相当する箇所にゴム紐を通すことを、シーツ１は必要とせず、洗濯によりゴム紐が劣化するなどの寿命問題もないので、耐久性に優れている。
【００２３】
次に、本考案の実施例１に係るシーツのサイズ及び縫製構成について図１及び図３を用いて説明する。
図１に示すように、シーツ１の仕上がりサイズＷ×Ｌは、例えばシングルサイズのマットレスの寸法９７ｃｍ×１９５ｃｍに対して一般的なボックスシーツと同様に１００ｃｍ×２００ｃｍ程度である。これは、繰り返し洗濯して織物部２が縮んでも伸縮部４及び伸縮部５の伸縮性により寝具１００を確実に収容できることを想定しているためである。
【００２４】
図３は、本考案の実施例１に係るシーツの縫製する前の状態を示す展開図である。
図３（Ａ）は、織物部２及び織物側縁部３を構成する織物生地の展開図である。
織物部２の素材は、吸湿性や素材の軽重を考慮して、例えば綿１００％やポリエステル／綿混紡の織物がよく、より好ましくは速乾性の観点から、例えば綿７０％／ポリエステル３０％〜綿５０％／ポリエステル５０％混紡の平織物がよい。
【００２５】
織物部２の素材としては、幅（Ｗ＋２×Ｗ１）×長さＬの周囲に１ｃｍ程度の縫い代を考慮した布地を用意する。用意した布地の四隅を幅Ｗ１×長さＬ３だけそれぞれ裁断することにより、幅Ｗ×長さＬの織物部２とその長辺両側縁に延出する幅Ｗ１×長さＬ１の織物側縁部３を１枚布で作成することができる。さらに、織物部２の一方の短辺を長さＬ４だけ裁断することにより織物部２と織物側縁部３の生地の準備ができる。
準備できた織物生地の端縁のうち、伸縮性布材を連接して縫着する織物部２の短辺端縁２１、側縁端縁２２及び織物側縁部３の端縁３１については裁ち目かがり縫いを施し、織物側縁部３の側縁３２については裁ち目から１ｃｍ程度を一つ折りして一本針縫いするか耳巻き処理を施しておく。
【００２６】
幅Ｗ１は、いわゆるマチと呼ばれ、図２（Ｂ）乃至（Ｅ）に示すように収容する寝具の厚み＋寝具の下面側に回り込む布地幅を考慮して決められる。寝具への装着の容易さや寝具に対するシーツのずれ難さの観点から、寝具の下面側に回り込む布地幅は最低６ｃｍ程度あることが好ましい。したがって、例えばシングルサイズのマットレスの厚みが７ｃｍ〜１７ｃｍである場合、幅Ｗ１は２３ｃｍ程度あればよい。
【００２７】
長さＬ４は、伸縮部４の一部がシーツ１の上面に配置されるようにするためである。介護ベッドの背上げ時に、頭部周辺のシーツがずり上がらないよう使用感に配慮しつつ、リネンサプライ業者の投入機に吊るす際にクリップで滑らないことを考慮すると、長さＬ４は、５ｃｍ〜１０ｃｍ程度であればよく、５ｃｍ程度がより好ましい。
【００２８】
図３（Ｂ）は、伸縮部４及び伸縮部５を構成する伸縮性布材の展開図である。
伸縮部４及び伸縮部５の素材には、例えばポリウレタン繊維と綿等の他の繊維と複合した複合糸やポリエステル又はナイロン等を仮撚加工した加工糸等を編機等で、例えば、天竺編又はメリヤス編と一般に云われる平編やリブ編、両面編、パール編等の手法で加工された織編物からなる伸縮性布材が用いられる。織編物からなる伸縮性布材は、糸でループを作り、そのループに次の糸を引っ掛けて連続してループを作り生地組織を形成するので、生地組織自体にも縦横に伸縮性があり、通気性も高く、しわにもなり難い特徴を有する。
【００２９】
伸縮部４の素材としては、幅Ｗ×長さ（Ｌ３＋Ｌ４）の周囲に１ｃｍ程度の縫い代を考慮した伸縮性布材を用意する。同様に、伸縮部５の素材としては、幅Ｗ×長さＬ３の周囲に１ｃｍ程度の縫い代を考慮した伸縮性布材を用意する。そして、伸縮部４及び伸縮部５を線の太さが同一なコの字形状に加工することにより、前述のシーツ１のマチが確保できる。そこで、用意した伸縮性布材の一方の短辺中央を幅Ｗ２×長さ（Ｌ３−Ｗ１）だけ裁断して伸縮部４及び伸縮部５をコの字形状に加工することにより伸縮性布材の準備ができる。準備できた伸縮性布材の端縁のうち、織物生地と連接して縫着されるコの字形状の背部４１及び５１、上辺４２及び５２、下辺４３及び５３、並びに先端４４及び５４については裁ち目かがり縫いを施し、コの字形状の腹部４５及び５５については耳巻き処理を施しておく。
なおコの字形状とするために、長さＬ３と幅Ｗ１とは、常に以下の関係を有する。
Ｌ３＞Ｗ１                                                （１）
ここで長さＬ３は、寝具への装着の容易さや寝具に対するシーツのずれ難さの観点から、Ｗ１の１．３倍以上あることが好ましい。したがって、例えば幅Ｗ１が２３ｃｍである場合、Ｌ３は３０ｃｍ程度あればよい。
【００３０】
続いて、本考案の実施例１に係るシーツの縫製手順について図４を用いて説明する。
図４（Ａ）〜（Ｄ）は、本考案の実施例１に係るシーツの縫製手順例を示す図である。
【００３１】
図４（Ａ）は、織物部２の生地の表面が上になるように配置され、長辺両側縁に形成されている織物側縁部３が、１点鎖線の矢印のように、織物部２の上に重なるように内側に折り込まれている状態である。したがって、織物側縁部３は生地の裏面が上に見えている。
【００３２】
図４（Ｂ）は、織物部２と織物側縁部３との間に、伸縮部４及び伸縮部５の伸縮性布材の表面が上になるように挿入され、織物側縁部３と伸縮部４の表面同士及び織物側縁部３と伸縮部５の表面同士がそれぞれ合わさっている状態である。そして、織物側縁部３の端縁３１と伸縮部４のコの字先端４４又は伸縮部５のコの字先端５４とをそれぞれ合わせ、太線で示す４か所の縫い代を、例えば一本針縫いで縫着する。
【００３３】
図４（Ｃ）は、図４（Ｂ）で縫着された縫い代を軸として、１点鎖線の矢印のように、伸縮部４及び伸縮部５をそれぞれ織物側縁部３の下側から裏返して外側に開いた状態である。したがって、伸縮部４及び伸縮部５は、伸縮性布材の裏面が上になるように配置されている。そして、織物部２の短辺端縁２１と伸縮部４のコの字背部４１又は伸縮部５のコの字背部５１とをそれぞれ合わせ、太線で示す２か所の縫い代を、例えば一本針縫いで縫着する。
【００３４】
図４（Ｄ）は、図４（Ｃ）で縫着された伸縮部４について、シーツ１の上面側に長さＬ４だけ配置されるようにして折った状態である。この時、伸縮部４及び伸縮部５は左右対称で同形、同寸法であると視認される。そして、織物部２の側縁端縁２２と伸縮部４のコの字上辺４２若しくは下辺４３又は伸縮部５のコの字上辺５２若しくは下辺５３とをそれぞれ合わせ、太線で示す４か所の縫い代を、例えば一本針縫いで縫着する。
最後に、生地の裏面が上に見えている、織物側縁部３、伸縮部４及び伸縮部５を、１点鎖線の矢印のように、織物部２の外側から背面側に裏返すことにより、図１に示すシーツ１が完成される。
【００３５】
次に、本考案の実施例１に係るシーツ１の使用方法について図１及び図５を用いて説明する。
例えば、図５に示す介護ベッドの寝具基台１１０上に載置されている寝具１００にシーツ１を装着する際、図１（Ａ）に示すように伸縮部４を使用者の頭部側にして、一般的なボックスシーツと同様に、開口７から寝具１００に被せることにより装着が完了する。伸縮部４及び伸縮部５が伸長し開口７が広がるので、容易に着脱することができる。
【００３６】
また、伸縮部４及び伸縮部５の伸縮力により、寝具１００の周側面及び下面を円環部６が面状に引っ張るため、ゴム紐のように線状に引っ張る一般的なボックスシーツに比べ、織物部２の表面のしわが格段に生じ難い。
【００３７】
図５に示すように寝具１００を背上げした場合でも、シーツ１の上面に配置されている伸縮部４が適度に縦（長辺）方向に伸長するため、使用者の背面とシーツ１の接触している位置には変化が生じない。その結果、使用者は頭部がずり上がり、肩から背部にかけて押し下げられるような圧迫を受けるなどの不快感を感じない。このように、使用者の身体的接触部位にずれ力が加わらないため、使用者に心地良い使用感を与え、また褥瘡発症を防止することができる。
【００３８】
リネンサプライ事業者の洗濯、脱水・乾燥、仕上げ等の一連の処理においても、図１に示すように扁平形状であり、シーツ１の上面に配置されている伸縮部４の長さＬ４も仕上げラインの投入機に吊るす際にクリップで滑らないように考慮されているため、取り扱いやすい。
【００３９】
このように、本考案の実施例１によれば、上記構成を採用することで、マットレスや敷布団等の寝具への着脱や洗濯処理が容易で耐久性に優れ、寝具が平坦であれ背上げ状態であれシーツにずれやしわが生じ難い、安価なシーツを提供することができる。その結果として、使用者に心地良い使用感を与え、また褥瘡発症を防止可能なシーツを提供することができる。
【００４０】
以上、本考案のシーツ１について、具体的な実施の形態を示して説明したが、本考案はこれらに限定されるものではない。当業者であれば、本考案の要旨を逸脱しない範囲内において、上記各実施形態又は他の実施形態にかかる考案の構成及び機能に様々な変更・改良を加えることが可能である。
【符号の説明】
【００４１】
１      シーツ
２      織物部
３      織物側縁部
４      伸縮部
５      伸縮部
６      円環部
７      開口
２１    織物部の短辺端縁
２２    織物部の側縁端縁
３１    織物側縁部の端縁
４１    伸縮部コの字背部
４２    伸縮部コの字上辺
４３    伸縮部コの字下辺
４４    伸縮部コの字先端
５１    伸縮部コの字背部
５２    伸縮部コの字上辺
５３    伸縮部コの字下辺
５４    伸縮部コの字先端
１００  寝具
１１０  寝具基台
【図１】
0003226582.tif 000003
【図２】
0003226582.tif 000004
【図３】
0003226582.tif 000005
【図４】
0003226582.tif 000006
【図５】
0003226582.tif 000007